【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
デジタル情報と、前記デジタル情報に含まれるコンテンツに対応付けられた制御情報と、を受信し、受信した前記デジタル情報を記録再生するデジタル情報記録再生装置において、
前記制御情報は、前記コンテンツについてコピー可、一世代のみコピー可、コピー禁止のうち少なくとも一つの状態であることを示すコピー制御情報を含み、
前記デジタル情報を受信する受信部と、
受信した前記デジタル情報の記録媒体への記録再生を制御する記録再生制御部と、
前記デジタル情報を表示するための制御を行う表示制御部と、
を備え、
前記記録再生制御部は、受信した前記コンテンツの前記記録媒体への記録再生を制御し、
前記表示制御部は、
前記コンテンツに対応付けられて受信した前記制御情報が、前記コンテンツについて所定数の複数個のコピーを許可するコピーモードに対応するか否かを示す第２のコピー制御情報を含むか否かと、該第２のコピー制御情報が示す情報と、前記コピー制御情報が示す情報と、に応じて、
前記記録媒体に記録したコンテンツであって、前記制御情報に対応付けられて受信したコンテンツについて、該コンテンツの少なくともコピー可能個数を示す表示状態と、ムーブのみが可能であることを示す表示状態と、を切り替える制御を行う
ことを特徴とするデジタル情報記録再生装置。
【請求項２】
デジタル情報と、前記デジタル情報に含まれるコンテンツに対応付けられた制御情報と、を受信し、受信した前記デジタル情報を記録再生するデジタル情報記録再生装置において、
前記制御情報は、前記コンテンツについてコピー可、一世代のみコピー可、コピー禁止のうち少なくとも一つの状態であることを示すコピー制御情報を含み、
前記デジタル情報を受信する受信部と、
受信した前記デジタル情報の記録媒体への記録再生を制御する記録再生制御部と、
前記デジタル情報を表示するための制御を行う表示制御部と、
を備え、
前記記録再生制御部は、受信した前記コンテンツの前記記録媒体への記録再生を制御し、
前記表示制御部は、
前記コンテンツに対応付けられて受信した前記制御情報が、前記コンテンツについて所定数の複数個のコピーを許可するコピーモードに対応するか否かを示す第２のコピー制御情報を含む場合、
前記記録媒体に記録したコンテンツであって、一世代のみコピー可能であることを示すコピー制御情報と、前記コピーモードに対応することを示す第２のコピー制御情報と、を含む制御情報に対応付けられて受信したコンテンツについて、該コンテンツの少なくともコピー可能個数を示す表示状態と、ムーブのみが可能であることを示す表示状態と、のうちいずれかの表示状態となるように制御し、
前記記録媒体に記録したコンテンツであって、一世代のみコピー可能であることを示すコピー制御情報と、前記コピーモードに対応しないことを示す第２のコピー制御情報と、を含む制御情報に対応付けられて受信したコンテンツについて、該コンテンツのムーブのみが可能であることを示す表示状態となるように制御し、
前記コンテンツに対応付けられて受信した前記制御情報が、前記第２のコピー制御情報を含まない場合、
前記記録媒体に記録したコンテンツであって、一世代のみコピー可能であることを示すコピー制御情報を含む制御情報に対応付けられて受信したコンテンツについて、該コンテンツの少なくともコピー可能個数を示す表示状態と、ムーブのみが可能であることを示す表示状態と、のうちいずれかの表示状態となるように制御する
ことを特徴とするデジタル情報記録再生装置。
【請求項３】
前記表示制御部は、
前記少なくともコピー可能個数を示す表示状態と、前記ムーブのみが可能であることを示す表示状態と、のうちいずれかの表示状態となるように制御する場合に、前記記録再生制御部が、前記記録媒体に記録される前記コンテンツを再生して生成したコピーの個数に応じて前記表示状態を切り替える制御を行う
ことを特徴とする請求項２に記載のデジタル情報記録再生装置。
【請求項４】
前記表示制御部は、
前記少なくともコピー可能個数を示す表示状態と、前記ムーブのみが可能であることを示す表示状態と、のうちいずれかの表示状態となるように制御する場合に、前記記録再生制御部が、前記記録媒体に記録される前記コンテンツを再生して所定数のコピーを生成するまでは、前記少なくともコピー可能個数を示す表示状態となるように制御し、前記記録再生制御部が、前記記録媒体に記録される前記コンテンツを再生して所定数のコピーを生成した後は、前記ムーブのみが可能であることを示す表示状態となるように制御する
ことを特徴とする請求項２に記載のデジタル情報記録再生装置。
【請求項５】
デジタル情報と、前記デジタル情報に含まれるコンテンツに対応付けられた制御情報と、を受信し、受信した前記デジタル情報を記録再生するデジタル情報記録再生装置において、
前記制御情報は、前記コンテンツについてコピー可、一世代のみコピー可、コピー禁止のうち少なくとも一つの状態であることを示すコピー制御情報を含み、
前記デジタル情報を受信する受信部と、
受信した前記デジタル情報の記録媒体への記録再生を制御する記録再生制御部と、
前記デジタル情報を表示するための制御を行う表示制御部と、
を備え、
前記記録再生制御部は、受信した前記コンテンツの前記記録媒体への記録再生を制御し、
前記表示制御部は、
前記コンテンツに対応付けられて受信した前記制御情報が、前記コンテンツについて所定数の複数個のコピーを許可する個数制限コピーモードに対応するか否かを示す第２のコピー制御情報を含む場合、
前記記録媒体に記録したコンテンツであって、一世代のみコピー可能であることを示すコピー制御情報と、前記個数制限コピーモードに対応することを示す第２のコピー制御情報と、を含む制御情報に対応付けられて受信したコンテンツについて、前記記録再生制御部が該コンテンツを再生して所定数のコピーを生成するまでは、該コンテンツのムーブが可能であることとコピーが可能であることとコピー可能個数を示す表示状態となるように制御し、前記記録再生制御部が該コンテンツを再生して所定数のコピーを生成した後は、ムーブのみが可能であることを示す表示状態となるように制御し、
前記記録媒体に記録したコンテンツであって、一世代のみコピー可能であることを示すコピー制御情報と、前記個数制限コピーモードに対応しないことを示す第２のコピー制御情報と、を含む制御情報に対応付けられて受信したコンテンツについて、該コンテンツのムーブのみが可能であることを示す表示状態となるように制御し、
前記コンテンツに対応付けられて受信した前記制御情報が、前記第２のコピー制御情報を含まない場合、
前記記録媒体に記録したコンテンツであって、一世代のみコピー可能であることを示すコピー制御情報を含む制御情報に対応付けられて受信したコンテンツについて、前記記録再生制御部が該コンテンツを再生して所定数のコピーを生成するまでは、該コンテンツのムーブが可能であることとコピーが可能であることとコピー可能個数を示す表示状態となるように制御し、前記記録再生制御部が該コンテンツを再生して所定数のコピーを生成した後は、ムーブのみが可能であることを示す表示状態となるように制御する
ことを特徴とするデジタル情報記録再生装置。
【請求項６】
少なくとも、コンテンツと、前記コンテンツに対応付けられたコピー制御情報であって、前記コンテンツについてコピー可、一世代のみコピー可、コピー禁止のうち少なくとも一つの状態であることを示すコピー制御情報と、を含むデジタル情報を受信するデジタル情報記録再生装置であって、
前記デジタル情報を受信する受信部と、
受信した前記デジタル情報に含まれる前記コンテンツの記録媒体への記録再生を制御する記録再生制御部と、
前記記録媒体に記録した前記コンテンツのコピーとムーブの操作についての情報である操作情報を表示するための制御を行う表示制御部と、
を備え、
前記表示制御部は、
前記デジタル情報が、前記コンテンツに対応付けられた第２のコピー制御情報であって、前記コンテンツについて所定数の複数個のコピーを許可するコピーモードに対応するか否かを示す第２のコピー制御情報を含むか否かと、該第２のコピー制御情報が示す情報と、前記コピー制御情報が示す情報と、に応じて、
前記記録媒体に記録したコンテンツであって、前記コピー制御情報に対応付けられて受信したコンテンツについて、該コンテンツの少なくともコピー可能個数を示す操作情報と、ムーブのみが可能であることを示す操作情報と、を切り替えて表示する制御を行う
ことを特徴とするデジタル情報記録再生装置。
【請求項７】
少なくとも、コンテンツと、前記コンテンツに対応付けられたコピー制御情報であって、前記コンテンツについてコピー可、一世代のみコピー可、コピー禁止のうち少なくとも一つの状態であることを示すコピー制御情報と、を含むデジタル情報を受信するデジタル情報記録再生装置であって、
前記デジタル情報を受信する受信部と、
受信した前記デジタル情報に含まれる前記コンテンツの記録媒体への記録再生を制御する記録再生制御部と、
前記記録媒体に記録した前記コンテンツのコピーとムーブの操作についての情報である操作情報を表示するための制御を行う表示制御部と、
を備え、
前記表示制御部は、
前記受信部が、前記コピー制御情報と、前記コンテンツに対応付けられた第２のコピー制御情報であって、前記コンテンツについて所定数の複数個のコピーを許可するコピーモードに対応するか否かを示す第２のコピー制御情報と、を含むデジタル情報を受信した場合、
前記記録媒体に記録したコンテンツであって、一世代のみコピー可能であることを示すコピー制御情報と、前記コピーモードに対応することを示す第２のコピー制御情報と、に対応付けられて受信したコンテンツについて、該コンテンツの少なくともコピー可能個数を示す操作情報と、ムーブのみが可能であることを示す操作情報と、のうちいずれかの操作情報を表示する制御を行い、
前記記録媒体に記録したコンテンツであって、一世代のみコピー可能であることを示すコピー制御情報と、前記コピーモードに対応しないことを示す第２のコピー制御情報と、に対応付けられて受信したコンテンツについて、該コンテンツのムーブのみが可能であることを示す操作情報を表示する制御を行い、
前記受信部が、前記コピー制御情報を含み、前記第２のコピー制御情報を含まないデジタル情報を受信した場合、
前記記録媒体に記録したコンテンツであって、一世代のみコピー可能であることを示すコピー制御情報に対応付けられて受信したコンテンツについて、該コンテンツの少なくともコピー可能個数を示す操作情報と、ムーブのみが可能であることを示す操作情報と、のうちいずれかの操作情報を表示する制御を行う
ことを特徴とするデジタル情報記録再生装置。
【請求項８】
前記表示制御部は、
前記少なくともコピー可能個数を示す操作情報と、前記ムーブのみが可能であることを示す操作情報と、のうちいずれかの操作情報を表示する制御を行う場合に、前記記録再生制御部が、前記記録媒体に記録される前記コンテンツを再生して生成したコピーの個数に応じて前記操作情報を切り替えて表示する制御を行う
ことを特徴とする請求項７に記載のデジタル情報記録再生装置。
【請求項９】
前記表示制御部は、
前記少なくともコピー可能個数を示す操作情報と、前記ムーブのみが可能であることを示す操作情報と、のうちいずれかの操作情報を表示する制御を行う場合に、前記記録再生制御部が、前記記録媒体に記録される前記コンテンツを再生して所定数のコピーを生成するまでは、前記少なくともコピー可能個数を示す操作情報を表示する制御を行い、前記記録再生制御部が、前記記録媒体に記録される前記コンテンツを再生して所定数のコピーを生成した後は、前記ムーブのみが可能であることを示す操作情報を表示する制御を行う
ことを特徴とする請求項７に記載のデジタル情報記録再生装置。
【請求項１０】
少なくとも、コンテンツと、前記コンテンツに対応付けられたコピー制御情報であって、前記コンテンツについてコピー可、一世代のみコピー可、コピー禁止のうち少なくとも一つの状態であることを示すコピー制御情報と、を含むデジタル情報を受信するデジタル情報記録再生装置であって、
前記デジタル情報を受信する受信部と、
受信した前記デジタル情報に含まれる前記コンテンツの記録媒体への記録再生を制御する記録再生制御部と、
前記記録媒体に記録した前記コンテンツのコピーとムーブの操作についての情報である操作情報を表示するための制御を行う表示制御部と、
を備え、
前記表示制御部は、
前記受信部が、前記コピー制御情報と、前記コンテンツに対応付けられた第２のコピー制御情報であって、前記コンテンツについて所定数の複数個のコピーを許可する個数制限コピーモードに対応するか否かを示す第２のコピー制御情報と、を含むデジタル情報を受信した場合、
前記記録媒体に記録したコンテンツであって、一世代のみコピー可能であることを示すコピー制御情報と、前記個数制限コピーモードに対応することを示す第２のコピー制御情報と、に対応付けられて受信したコンテンツについて、前記記録再生制御部が前記記録媒体に記録される該コンテンツを再生して所定数のコピーを生成するまでは、該コンテンツのムーブが可能であることとコピーが可能であることとコピー可能個数とを示す操作情報を表示する制御を行い、前記記録再生制御部が前記記録媒体に記録される該コンテンツを再生して所定数のコピーを生成した後は、ムーブのみが可能であることを示す操作情報を表示する制御を行い、
前記記録媒体に記録したコンテンツであって、一世代のみコピー可能であることを示すコピー制御情報と、前記個数制限コピーモードに対応しないことを示す第２のコピー制御情報と、に対応付けられて受信したコンテンツについて、該コンテンツのムーブのみが可能であることを示す操作情報を表示する制御を行い、
前記受信部が、前記コピー制御情報を含み、前記第２のコピー制御情報を含まないデジタル情報を受信した場合、
前記記録媒体に記録したコンテンツであって、一世代のみコピー可能であることを示すコピー制御情報に対応付けられて受信したコンテンツについて、前記記録再生制御部が前記記録媒体に記録される該コンテンツを再生して所定数のコピーを生成するまでは、該コンテンツのムーブが可能であることとコピーが可能であることとコピー可能個数とを示す操作情報を表示する制御を行い、前記記録再生制御部が前記記録媒体に記録される該コンテンツを再生して所定数のコピーを生成した後は、ムーブのみが可能であることを示す操作情報を表示する制御を行う
ことを特徴とするデジタル情報記録再生装置。
【請求項１１】
デジタル情報と、前記デジタル情報に含まれるコンテンツに対応付けられた制御情報と、を受信し、受信した前記デジタル情報を記録再生するデジタル情報記録再生装置において、
前記制御情報は、前記コンテンツについてコピー可、一世代のみコピー可、コピー禁止のうち少なくとも一つの状態であることを示すコピー制御情報を含み、
前記デジタル情報を受信する受信部と、
受信した前記デジタル情報の記録媒体への記録再生を制御する記録再生制御部と、
前記デジタル情報を表示するための制御を行う表示制御部と、
を備え、
前記記録再生制御部は、受信した前記コンテンツの前記記録媒体への記録再生を制御し、
前記表示制御部は、
前記コンテンツに対応付けられて受信した前記制御情報が、前記コンテンツについて所定数の複数個のコピーを許可するコピーモードに対応するか否かを示す第２のコピー制御情報を含むか否かと、該第２のコピー制御情報が示す情報と、前記コピー制御情報が示す情報と、に応じて、
前記記録媒体に記録したコンテンツであって、前記制御情報に対応付けられて受信したコンテンツについて、該コンテンツのダビングが複数回可能であることを示す表示状態と、該コンテンツのダビングが一回のみ可能であることを示す表示状態と、を切り替える制御を行う
ことを特徴とするデジタル情報記録再生装置。
【請求項１２】
デジタル情報と、前記デジタル情報に含まれるコンテンツに対応付けられた制御情報と、を受信し、受信した前記デジタル情報を記録再生するデジタル情報記録再生装置において、
前記制御情報は、前記コンテンツについてコピー可、一世代のみコピー可、コピー禁止のうち少なくとも一つの状態であることを示すコピー制御情報を含み、
前記デジタル情報を受信する受信部と、
受信した前記デジタル情報の記録媒体への記録再生を制御する記録再生制御部と、
前記デジタル情報を表示するための制御を行う表示制御部と、
を備え、
前記記録再生制御部は、受信した前記コンテンツの前記記録媒体への記録再生を制御し、
前記表示制御部は、
前記コンテンツに対応付けられて受信した前記制御情報が、前記コンテンツについて所定数の複数個のコピーを許可するコピーモードに対応するか否かを示す第２のコピー制御情報を含む場合、
前記記録媒体に記録したコンテンツであって、一世代のみコピー可能であることを示すコピー制御情報と、前記コピーモードに対応することを示す第２のコピー制御情報と、を含む制御情報に対応付けられて受信したコンテンツについて、該コンテンツのダビングが複数回可能であることを示す表示状態と、該コンテンツのダビングが一回のみ可能であることを示す表示状態と、のうちいずれかの表示状態となるように制御し、
前記記録媒体に記録したコンテンツであって、一世代のみコピー可能であることを示すコピー制御情報と、前記コピーモードに対応しないことを示す第２のコピー制御情報と、を含む制御情報に対応付けられて受信したコンテンツについて、該コンテンツのダビングが一回のみ可能であることを示す表示状態となるように制御し、
前記コンテンツに対応付けられて受信した前記制御情報が、前記第２のコピー制御情報を含まない場合、
前記記録媒体に記録したコンテンツであって、一世代のみコピー可能であることを示すコピー制御情報を含む制御情報に対応付けられて受信したコンテンツについて、該コンテンツのダビングが複数回可能であることを示す表示状態と、該コンテンツのダビングが一回のみ可能であることを示す表示状態と、のうちいずれかの表示状態となるように制御する
ことを特徴とするデジタル情報記録再生装置。
【請求項１３】
前記表示制御部は、
前記ダビングが複数回可能であることを示す表示状態と、前記ダビングが一回のみ可能であることを示す表示状態と、のうちいずれかの表示状態となるように制御する場合に、前記記録再生制御部が、前記記録媒体に記録される前記コンテンツを再生して生成したコピーの個数に応じて前記表示状態を切り替える制御を行う
ことを特徴とする請求項１２に記載のデジタル情報記録再生装置。
【請求項１４】
前記表示制御部は、
前記ダビングが複数回可能であることを示す表示状態と、前記ダビングが一回のみ可能であることを示す表示状態と、のうちいずれかの表示状態となるように制御する場合に、前記記録再生制御部が、前記記録媒体に記録される前記コンテンツを再生して所定数のコピーを生成するまでは、前記ダビングが複数回可能であることを示す表示状態となるように制御し、前記記録再生制御部が、前記記録媒体に記録される前記コンテンツを再生して所定数のコピーを生成した後は、前記ダビングが一回のみ可能であることを示す表示状態となるように制御する
ことを特徴とする請求項１２に記載のデジタル情報記録再生装置。
【請求項１５】
デジタル情報と、前記デジタル情報に含まれるコンテンツに対応付けられた制御情報と、を受信し、受信した前記デジタル情報を記録再生するデジタル情報記録再生装置において、
前記制御情報は、前記コンテンツについてコピー可、一世代のみコピー可、コピー禁止のうち少なくとも一つの状態であることを示すコピー制御情報を含み、
前記デジタル情報を受信する受信部と、
受信した前記デジタル情報の記録媒体への記録再生を制御する記録再生制御部と、
前記デジタル情報を表示するための制御を行う表示制御部と、
を備え、
前記記録再生制御部は、受信した前記コンテンツの前記記録媒体への記録再生を制御し、
前記表示制御部は、
前記コンテンツに対応付けられて受信した前記制御情報が、前記コンテンツについて所定数の複数個のコピーを許可する個数制限コピーモードに対応するか否かを示す第２のコピー制御情報を含む場合、
前記記録媒体に記録したコンテンツであって、一世代のみコピー可能であることを示すコピー制御情報と、前記個数制限コピーモードに対応することを示す第２のコピー制御情報と、を含む制御情報に対応付けられて受信したコンテンツについて、前記記録再生制御部が該コンテンツを再生して所定数のコピーを生成するまでは、該コンテンツのダビングが複数回可能であることを示す表示状態となるように制御し、前記記録再生制御部が該コンテンツを再生して所定数のコピーを生成した後は、該コンテンツのダビングが一回のみ可能であることを示す表示状態となるように制御し、
前記記録媒体に記録したコンテンツであって、一世代のみコピー可能であることを示すコピー制御情報と、前記個数制限コピーモードに対応しないことを示す第２のコピー制御情報と、を含む制御情報に対応付けられて受信したコンテンツについて、該コンテンツのダビングが一回のみ可能であることを示す表示状態となるように制御し、
前記コンテンツに対応付けられて受信した前記制御情報が、前記第２のコピー制御情報を含まない場合、
前記記録媒体に記録したコンテンツであって、一世代のみコピー可能であることを示すコピー制御情報を含む制御情報に対応付けられて受信したコンテンツについて、前記記録再生制御部が該コンテンツを再生して所定数のコピーを生成するまでは、該コンテンツのダビングが複数回可能であることを示す表示状態となるように制御し、前記記録再生制御部が該コンテンツを再生して所定数のコピーを生成した後は、該コンテンツのダビングが一回のみ可能であることを示す表示状態となるように制御する
ことを特徴とするデジタル情報記録再生装置。
【請求項１６】
少なくとも、コンテンツと、前記コンテンツに対応付けられたコピー制御情報であって、前記コンテンツについてコピー可、一世代のみコピー可、コピー禁止のうち少なくとも一つの状態であることを示すコピー制御情報と、を含むデジタル情報を受信するデジタル情報記録再生装置であって、
前記デジタル情報を受信する受信部と、
受信した前記デジタル情報に含まれる前記コンテンツの記録媒体への記録再生を制御する記録再生制御部と、
前記記録媒体に記録した前記コンテンツのダビング可能個数についての情報であるダビング情報を表示するための制御を行う表示制御部と、
を備え、
前記表示制御部は、
前記デジタル情報が、前記コンテンツに対応付けられた第２のコピー制御情報であって、前記コンテンツについて所定数の複数個のコピーを許可するコピーモードに対応するか否かを示す第２のコピー制御情報を含むか否かと、該第２のコピー制御情報が示す情報と、前記コピー制御情報が示す情報と、に応じて、
前記記録媒体に記録したコンテンツであって、前記コピー制御情報に対応付けられて受信したコンテンツについて、該コンテンツのダビングが複数回可能であることを示すダビング情報と、該コンテンツのダビングが一回のみ可能であることを示すダビング情報と、を切り替えて表示する制御を行う
ことを特徴とするデジタル情報記録再生装置。
【請求項１７】
少なくとも、コンテンツと、前記コンテンツに対応付けられたコピー制御情報であって、前記コンテンツについてコピー可、一世代のみコピー可、コピー禁止のうち少なくとも一つの状態であることを示すコピー制御情報と、を含むデジタル情報を受信するデジタル情報記録再生装置であって、
前記デジタル情報を受信する受信部と、
受信した前記デジタル情報に含まれる前記コンテンツの記録媒体への記録再生を制御する記録再生制御部と、
前記記録媒体に記録した前記コンテンツのダビング可能個数についての情報であるダビング情報を表示するための制御を行う表示制御部と、
を備え、
前記表示制御部は、
前記受信部が、前記コピー制御情報と、前記コンテンツに対応付けられた第２のコピー制御情報であって、前記コンテンツについて所定数の複数個のコピーを許可するコピーモードに対応するか否かを示す第２のコピー制御情報と、を含むデジタル情報を受信した場合、
前記記録媒体に記録したコンテンツであって、一世代のみコピー可能であることを示すコピー制御情報と、前記コピーモードに対応することを示す第２のコピー制御情報と、に対応付けられて受信したコンテンツについて、該コンテンツのダビングが複数回可能であることを示すダビング情報と、該コンテンツのダビングが一回のみ可能であることを示すダビング情報と、のうちいずれかのダビング情報を表示する制御を行い、
前記記録媒体に記録したコンテンツであって、一世代のみコピー可能であることを示すコピー制御情報と、前記コピーモードに対応しないことを示す第２のコピー制御情報と、に対応付けられて受信したコンテンツについて、該コンテンツのダビングが一回のみ可能であることを示すダビング情報を表示する制御を行い、
前記受信部が、前記コピー制御情報を含み、前記第２のコピー制御情報を含まないデジタル情報を受信した場合、
前記記録媒体に記録したコンテンツであって、一世代のみコピー可能であることを示すコピー制御情報に対応付けられて受信したコンテンツについて、該コンテンツのダビングが複数回可能であることを示すダビング情報と、該コンテンツのダビングが一回のみ可能であることを示すダビング情報と、のうちいずれかのダビング情報を表示する制御を行う
ことを特徴とするデジタル情報記録再生装置。
【請求項１８】
前記表示制御部は、
前記ダビングが複数回可能であることを示すダビング情報と、前記ダビングが一回のみ可能であることを示すダビング情報と、のうちいずれかのダビング情報を表示する制御を行う場合に、前記記録再生制御部が、前記記録媒体に記録される前記コンテンツを再生して生成したコピーの個数に応じて前記ダビング情報を切り替えて表示する制御を行う
ことを特徴とする請求項１７に記載のデジタル情報記録再生装置。
【請求項１９】
前記表示制御部は、
前記ダビングが複数回可能であることを示すダビング情報と、前記ダビングが一回のみ可能であることを示すダビング情報と、のうちいずれかのダビング情報を表示する制御を行う場合に、前記記録再生制御部が、前記記録媒体に記録される前記コンテンツを再生して所定数のコピーを生成するまでは、前記ダビングが複数回可能であることを示すダビング情報を表示する制御を行い、前記記録再生制御部が、前記記録媒体に記録される前記コンテンツを再生して所定数のコピーを生成した後は、前記ダビングが一回のみ可能であることを示すダビング情報を表示する制御を行う
ことを特徴とする請求項１７に記載のデジタル情報記録再生装置。
【請求項２０】
少なくとも、コンテンツと、前記コンテンツに対応付けられたコピー制御情報であって、前記コンテンツについてコピー可、一世代のみコピー可、コピー禁止のうち少なくとも一つの状態であることを示すコピー制御情報と、を含むデジタル情報を受信するデジタル情報記録再生装置であって、
前記デジタル情報を受信する受信部と、
受信した前記デジタル情報に含まれる前記コンテンツの記録媒体への記録再生を制御する記録再生制御部と、
前記記録媒体に記録した前記コンテンツのダビング可能個数についての情報であるダビング情報を表示するための制御を行う表示制御部と、
を備え、
前記表示制御部は、
前記受信部が、前記コピー制御情報と、前記コンテンツに対応付けられた第２のコピー制御情報であって、前記コンテンツについて所定数の複数個のコピーを許可する個数制限コピーモードに対応するか否かを示す第２のコピー制御情報と、を含むデジタル情報を受信した場合、
前記記録媒体に記録したコンテンツであって、一世代のみコピー可能であることを示すコピー制御情報と、前記個数制限コピーモードに対応することを示す第２のコピー制御情報と、に対応付けられて受信したコンテンツについて、前記記録再生制御部が前記記録媒体に記録される該コンテンツを再生して所定数のコピーを生成するまでは、該コンテンツのダビングが複数回可能であることを示すダビング情報を表示する制御を行い、前記記録再生制御部が前記記録媒体に記録される該コンテンツを再生して所定数のコピーを生成した後は、該コンテンツのダビングが一回のみ可能であることを示すダビング情報を表示する制御を行い、
前記記録媒体に記録したコンテンツであって、一世代のみコピー可能であることを示すコピー制御情報と、前記個数制限コピーモードに対応しないことを示す第２のコピー制御情報と、に対応付けられて受信したコンテンツについて、該コンテンツのダビングが一回のみ可能であることを示すダビング情報を表示する制御を行い、
前記受信部が、前記コピー制御情報を含み、前記第２のコピー制御情報を含まないデジタル情報を受信した場合、
前記記録媒体に記録したコンテンツであって、一世代のみコピー可能であることを示すコピー制御情報に対応付けられて受信したコンテンツについて、前記記録再生制御部が前記記録媒体に記録される該コンテンツを再生して所定数のコピーを生成するまでは、該コンテンツのダビングが複数回可能であることを示すダビング情報を表示する制御を行い、前記記録再生制御部が前記記録媒体に記録される該コンテンツを再生して所定数のコピーを生成した後は、該コンテンツのダビングが一回のみ可能であることを示すダビング情報を表示する制御を行う
ことを特徴とするデジタル情報記録再生装置。
【請求項２１】
デジタル情報と、前記デジタル情報に含まれるコンテンツに対応付けられた制御情報と、を受信し、受信した前記デジタル情報を表示する表示装置において、
前記制御情報は、前記コンテンツについてコピー可、一世代のみコピー可、コピー禁止のうち少なくとも一つの状態であることを示すコピー制御情報を含み、
前記デジタル情報を受信する受信部と、
受信した前記デジタル情報の記録媒体への記録再生を制御する記録再生制御部と、
前記デジタル情報を表示する表示部と、
を備え、
前記記録再生制御部は、受信した前記コンテンツの前記記録媒体への記録再生を制御し、
前記表示部は、
前記コンテンツに対応付けられて受信した前記制御情報が、前記コンテンツについて所定数の複数個のコピーを許可するコピーモードに対応するか否かを示す第２のコピー制御情報を含むか否かと、該第２のコピー制御情報が示す情報と、前記コピー制御情報が示す情報と、に応じて、
前記記録媒体に記録したコンテンツであって、前記制御情報に対応付けられて受信したコンテンツについて、該コンテンツの少なくともコピー可能個数を示す表示と、ムーブのみが可能であることを示す表示と、を切り替えて表示する
ことを特徴とする表示装置。
【請求項２２】
デジタル情報と、前記デジタル情報に含まれるコンテンツに対応付けられた制御情報と、を受信し、受信した前記デジタル情報を表示する表示装置において、
前記制御情報は、前記コンテンツについてコピー可、一世代のみコピー可、コピー禁止のうち少なくとも一つの状態であることを示すコピー制御情報を含み、
前記デジタル情報を受信する受信部と、
受信した前記デジタル情報の記録媒体への記録再生を制御する記録再生制御部と、
前記デジタル情報を表示する表示部と、
を備え、
前記記録再生制御部は、受信した前記コンテンツの前記記録媒体への記録再生を制御し、
前記表示部は、
前記コンテンツに対応付けられて受信した前記制御情報が、前記コンテンツについて所定数の複数個のコピーを許可するコピーモードに対応するか否かを示す第２のコピー制御情報を含む場合、
前記記録媒体に記録したコンテンツであって、一世代のみコピー可能であることを示すコピー制御情報と、前記コピーモードに対応することを示す第２のコピー制御情報と、を含む制御情報に対応付けられて受信したコンテンツについて、該コンテンツの少なくともコピー可能個数を示す表示と、ムーブのみが可能であることを示す表示と、のうちいずれかの表示を行い、
前記記録媒体に記録したコンテンツであって、一世代のみコピー可能であることを示すコピー制御情報と、前記コピーモードに対応しないことを示す第２のコピー制御情報と、を含む制御情報に対応付けられて受信したコンテンツについて、該コンテンツのムーブのみが可能であることを示す表示を行い、
前記コンテンツに対応付けられて受信した前記制御情報が、前記第２のコピー制御情報を含まない場合、
前記記録媒体に記録したコンテンツであって、一世代のみコピー可能であることを示すコピー制御情報を含む制御情報に対応付けられて受信したコンテンツについて、該コンテンツの少なくともコピー可能個数を示す表示と、ムーブのみが可能であることを示す表示と、のうちいずれかの表示を行う
ことを特徴とする表示装置。
【請求項２３】
前記表示部は、
前記少なくともコピー可能個数を示す表示と、前記ムーブのみが可能であることを示す表示と、のうちいずれかの表示を行う場合に、前記記録再生制御部が、前記記録媒体に記録される前記コンテンツを再生して生成したコピーの個数に応じて前記表示を切り替える
ことを特徴とする請求項２２に記載の表示装置。
【請求項２４】
前記表示部は、
前記少なくともコピー可能個数を示す表示と、前記ムーブのみが可能であることを示す表示と、のうちいずれかの表示を行う場合に、前記記録再生制御部が、前記記録媒体に記録される前記コンテンツを再生して所定数のコピーを生成するまでは、前記少なくともコピー可能個数を示す表示を行い、前記記録再生制御部が、前記記録媒体に記録される前記コンテンツを再生して所定数のコピーを生成した後は、前記ムーブのみが可能であることを示す表示を行う
ことを特徴とする請求項２２に記載の表示装置。
【請求項２５】
デジタル情報と、前記デジタル情報に含まれるコンテンツに対応付けられた制御情報と、を受信し、受信した前記デジタル情報を記録再生する表示装置において、
前記制御情報は、前記コンテンツについてコピー可、一世代のみコピー可、コピー禁止のうち少なくとも一つの状態であることを示すコピー制御情報を含み、
前記デジタル情報を受信する受信部と、
受信した前記デジタル情報の記録媒体への記録再生を制御する記録再生制御部と、
前記デジタル情報を表示する表示部と、
を備え、
前記記録再生制御部は、受信した前記コンテンツの前記記録媒体への記録再生を制御し、
前記表示部は、
前記コンテンツに対応付けられて受信した前記制御情報が、前記コンテンツについて所定数の複数個のコピーを許可する個数制限コピーモードに対応するか否かを示す第２のコピー制御情報を含む場合、
前記記録媒体に記録したコンテンツであって、一世代のみコピー可能であることを示すコピー制御情報と、前記個数制限コピーモードに対応することを示す第２のコピー制御情報と、を含む制御情報に対応付けられて受信したコンテンツについて、前記記録再生制御部が該コンテンツを再生して所定数のコピーを生成するまでは、該コンテンツのムーブが可能であることとコピーが可能であることとコピー可能個数を示す表示を行い、前記記録再生制御部が該コンテンツを再生して所定数のコピーを生成した後は、ムーブのみが可能であることを示す表示を行い、
前記記録媒体に記録したコンテンツであって、一世代のみコピー可能であることを示すコピー制御情報と、前記個数制限コピーモードに対応しないことを示す第２のコピー制御情報と、を含む制御情報に対応付けられて受信したコンテンツについて、該コンテンツのムーブのみが可能であることを示す表示を行い、
前記コンテンツに対応付けられて受信した前記制御情報が、前記第２のコピー制御情報を含まない場合、
前記記録媒体に記録したコンテンツであって、一世代のみコピー可能であることを示すコピー制御情報を含む制御情報に対応付けられて受信したコンテンツについて、前記記録再生制御部が該コンテンツを再生して所定数のコピーを生成するまでは、該コンテンツのムーブが可能であることとコピーが可能であることとコピー可能個数を示す表示を行い、前記記録再生制御部が該コンテンツを再生して所定数のコピーを生成した後は、ムーブのみが可能であることを示す表示を行う
ことを特徴とする表示装置。
【請求項２６】
少なくとも、コンテンツと、前記コンテンツに対応付けられたコピー制御情報であって、前記コンテンツについてコピー可、一世代のみコピー可、コピー禁止のうち少なくとも一つの状態であることを示すコピー制御情報と、を含むデジタル情報を受信する表示装置であって、
前記デジタル情報を受信する受信部と、
受信した前記デジタル情報に含まれる前記コンテンツの記録媒体への記録再生を制御する記録再生制御部と、
前記記録媒体に記録した前記コンテンツのコピーとムーブの操作についての情報である操作情報を表示する表示部と、
を備え、
前記表示部は、
前記デジタル情報が、前記コンテンツに対応付けられた第２のコピー制御情報であって、前記コンテンツについて所定数の複数個のコピーを許可するコピーモードに対応するか否かを示す第２のコピー制御情報を含むか否かと、該第２のコピー制御情報が示す情報と、前記コピー制御情報が示す情報と、に応じて、
前記記録媒体に記録したコンテンツであって、前記コピー制御情報に対応付けられて受信したコンテンツについて、該コンテンツの少なくともコピー可能個数を示す操作情報と、ムーブのみが可能であることを示す操作情報と、を切り替えて表示する
ことを特徴とする表示装置。
【請求項２７】
少なくとも、コンテンツと、前記コンテンツに対応付けられたコピー制御情報であって、前記コンテンツについてコピー可、一世代のみコピー可、コピー禁止のうち少なくとも一つの状態であることを示すコピー制御情報と、を含むデジタル情報を受信する表示装置であって、
前記デジタル情報を受信する受信部と、
受信した前記デジタル情報に含まれる前記コンテンツの記録媒体への記録再生を制御する記録再生制御部と、
前記記録媒体に記録した前記コンテンツのコピーとムーブの操作についての情報である操作情報を表示する表示部と、
を備え、
前記表示部は、
前記受信部が、前記コピー制御情報と、前記コンテンツに対応付けられた第２のコピー制御情報であって、前記コンテンツについて所定数の複数個のコピーを許可するコピーモードに対応するか否かを示す第２のコピー制御情報と、を含むデジタル情報を受信した場合、
前記記録媒体に記録したコンテンツであって、一世代のみコピー可能であることを示すコピー制御情報と、前記コピーモードに対応することを示す第２のコピー制御情報と、に対応付けられて受信したコンテンツについて、該コンテンツの少なくともコピー可能個数を示す操作情報と、ムーブのみが可能であることを示す操作情報と、のうちいずれかの操作情報を表示し、
前記記録媒体に記録したコンテンツであって、一世代のみコピー可能であることを示すコピー制御情報と、前記コピーモードに対応しないことを示す第２のコピー制御情報と、に対応付けられて受信したコンテンツについて、該コンテンツのムーブのみが可能であることを示す操作情報を表示し、
前記受信部が、前記コピー制御情報を含み、前記第２のコピー制御情報を含まないデジタル情報を受信した場合、
前記記録媒体に記録したコンテンツであって、一世代のみコピー可能であることを示すコピー制御情報に対応付けられて受信したコンテンツについて、該コンテンツの少なくともコピー可能個数を示す操作情報と、ムーブのみが可能であることを示す操作情報と、のうちいずれかの操作情報を表示する
ことを特徴とする表示装置。
【請求項２８】
前記表示部は、
前記少なくともコピー可能個数を示す操作情報と、前記ムーブのみが可能であることを示す操作情報と、のうちいずれかの操作情報を表示する場合に、前記記録再生制御部が、前記記録媒体に記録される前記コンテンツを再生して生成したコピーの個数に応じて前記操作情報を切り替えて表示する
ことを特徴とする請求項２７に記載の表示装置。
【請求項２９】
前記表示部は、
前記少なくともコピー可能個数を示す操作情報と、前記ムーブのみが可能であることを示す操作情報と、のうちいずれかの操作情報を表示する場合に、前記記録再生制御部が、前記記録媒体に記録される前記コンテンツを再生して所定数のコピーを生成するまでは、前記少なくともコピー可能個数を示す操作情報を表示し、前記記録再生制御部が、前記記録媒体に記録される前記コンテンツを再生して所定数のコピーを生成した後は、前記ムーブのみが可能であることを示す操作情報を表示する
ことを特徴とする請求項２７に記載の表示装置。
【請求項３０】
少なくとも、コンテンツと、前記コンテンツに対応付けられたコピー制御情報であって、前記コンテンツについてコピー可、一世代のみコピー可、コピー禁止のうち少なくとも一つの状態であることを示すコピー制御情報と、を含むデジタル情報を受信する表示装置であって、
前記デジタル情報を受信する受信部と、
受信した前記デジタル情報に含まれる前記コンテンツの記録媒体への記録再生を制御する記録再生制御部と、
前記記録媒体に記録した前記コンテンツのコピーとムーブの操作についての情報である操作情報を表示する表示部と、
を備え、
前記表示部は、
前記受信部が、前記コピー制御情報と、前記コンテンツに対応付けられた第２のコピー制御情報であって、前記コンテンツについて所定数の複数個のコピーを許可する個数制限コピーモードに対応するか否かを示す第２のコピー制御情報と、を含むデジタル情報を受信した場合、
前記記録媒体に記録したコンテンツであって、一世代のみコピー可能であることを示すコピー制御情報と、前記個数制限コピーモードに対応することを示す第２のコピー制御情報と、に対応付けられて受信したコンテンツについて、前記記録再生制御部が前記記録媒体に記録される該コンテンツを再生して所定数のコピーを生成するまでは、該コンテンツのムーブが可能であることとコピーが可能であることとコピー可能個数とを示す操作情報を表示し、前記記録再生制御部が前記記録媒体に記録される該コンテンツを再生して所定数のコピーを生成した後は、ムーブのみが可能であることを示す操作情報を表示し、
前記記録媒体に記録したコンテンツであって、一世代のみコピー可能であることを示すコピー制御情報と、前記個数制限コピーモードに対応しないことを示す第２のコピー制御情報と、に対応付けられて受信したコンテンツについて、該コンテンツのムーブのみが可能であることを示す操作情報を表示し、
前記受信部が、前記コピー制御情報を含み、前記第２のコピー制御情報を含まないデジタル情報を受信した場合、
前記記録媒体に記録したコンテンツであって、一世代のみコピー可能であることを示すコピー制御情報に対応付けられて受信したコンテンツについて、前記記録再生制御部が前記記録媒体に記録される該コンテンツを再生して所定数のコピーを生成するまでは、該コンテンツのムーブが可能であることとコピーが可能であることとコピー可能個数とを示す操作情報を表示し、前記記録再生制御部が前記記録媒体に記録される該コンテンツを再生して所定数のコピーを生成した後は、ムーブのみが可能であることを示す操作情報を表示する
ことを特徴とする表示装置。
【請求項３１】
デジタル情報と、前記デジタル情報に含まれるコンテンツに対応付けられた制御情報と、を受信し、受信した前記デジタル情報を表示する表示装置において、
前記制御情報は、前記コンテンツについてコピー可、一世代のみコピー可、コピー禁止のうち少なくとも一つの状態であることを示すコピー制御情報を含み、
前記デジタル情報を受信する受信部と、
受信した前記デジタル情報の記録媒体への記録再生を制御する記録再生制御部と、
前記デジタル情報を表示する表示部と、
を備え、
前記記録再生制御部は、受信した前記コンテンツの前記記録媒体への記録再生を制御し、
前記表示部は、
前記コンテンツに対応付けられて受信した前記制御情報が、前記コンテンツについて所定数の複数個のコピーを許可するコピーモードに対応するか否かを示す第２のコピー制御情報を含むか否かと、該第２のコピー制御情報が示す情報と、前記コピー制御情報が示す情報と、に応じて、
前記記録媒体に記録したコンテンツであって、前記制御情報に対応付けられて受信したコンテンツについて、該コンテンツのダビングが複数回可能であることを示す表示と、該コンテンツのダビングが一回のみ可能であることを示す表示と、を切り替えて表示する
ことを特徴とする表示装置。
【請求項３２】
デジタル情報と、前記デジタル情報に含まれるコンテンツに対応付けられた制御情報と、を受信し、受信した前記デジタル情報を表示する表示装置において、
前記制御情報は、前記コンテンツについてコピー可、一世代のみコピー可、コピー禁止のうち少なくとも一つの状態であることを示すコピー制御情報を含み、
前記デジタル情報を受信する受信部と、
受信した前記デジタル情報の記録媒体への記録再生を制御する記録再生制御部と、
前記デジタル情報を表示する表示部と、
を備え、
前記記録再生制御部は、受信した前記コンテンツの前記記録媒体への記録再生を制御し、
前記表示部は、
前記コンテンツに対応付けられて受信した前記制御情報が、前記コンテンツについて所定数の複数個のコピーを許可するコピーモードに対応するか否かを示す第２のコピー制御情報を含む場合、
前記記録媒体に記録したコンテンツであって、一世代のみコピー可能であることを示すコピー制御情報と、前記コピーモードに対応することを示す第２のコピー制御情報と、を含む制御情報に対応付けられて受信したコンテンツについて、該コンテンツのダビングが複数回可能であることを示す表示と、該コンテンツのダビングが一回のみ可能であることを示す表示と、のうちいずれかの表示を行い、
前記記録媒体に記録したコンテンツであって、一世代のみコピー可能であることを示すコピー制御情報と、前記コピーモードに対応しないことを示す第２のコピー制御情報と、を含む制御情報に対応付けられて受信したコンテンツについて、該コンテンツのダビングが一回のみ可能であることを示す表示を行い、
前記コンテンツに対応付けられて受信した前記制御情報が、前記第２のコピー制御情報を含まない場合、
前記記録媒体に記録したコンテンツであって、一世代のみコピー可能であることを示すコピー制御情報を含む制御情報に対応付けられて受信したコンテンツについて、該コンテンツのダビングが複数回可能であることを示す表示と、該コンテンツのダビングが一回のみ可能であることを示す表示と、のうちいずれかの表示を行う
ことを特徴とする表示装置。
【請求項３３】
前記表示部は、
ダビングが複数回可能であることを示す表示と、ダビングが一回のみ可能であることを示す表示と、のうちいずれかの表示を行う場合に、前記記録再生制御部が、前記記録媒体に記録される前記コンテンツを再生して生成したコピーの個数に応じて前記表示を切り替える
ことを特徴とする請求項３２に記載の表示装置。
【請求項３４】
前記表示部は、
ダビングが複数回可能であることを示す表示と、ダビングが一回のみ可能であることを示す表示と、のうちいずれかの表示を行う場合に、前記記録再生制御部が、前記記録媒体に記録される前記コンテンツを再生して所定数のコピーを生成するまでは、ダビングが複数回可能であることを示す表示を行い、前記記録再生制御部が、前記記録媒体に記録される前記コンテンツを再生して所定数のコピーを生成した後は、ダビングが一回のみ可能であることを示す表示を行う
ことを特徴とする請求項３２に記載の表示装置。
【請求項３５】
デジタル情報と、前記デジタル情報に含まれるコンテンツに対応付けられた制御情報と、を受信し、受信した前記デジタル情報を記録再生する表示装置において、
前記制御情報は、前記コンテンツについてコピー可、一世代のみコピー可、コピー禁止のうち少なくとも一つの状態であることを示すコピー制御情報を含み、
前記デジタル情報を受信する受信部と、
受信した前記デジタル情報の記録媒体への記録再生を制御する記録再生制御部と、
前記デジタル情報を表示する表示部と、
を備え、
前記記録再生制御部は、受信した前記コンテンツの前記記録媒体への記録再生を制御し、
前記表示部は、
前記コンテンツに対応付けられて受信した前記制御情報が、前記コンテンツについて所定数の複数個のコピーを許可する個数制限コピーモードに対応するか否かを示す第２のコピー制御情報を含む場合、
前記記録媒体に記録したコンテンツであって、一世代のみコピー可能であることを示すコピー制御情報と、前記個数制限コピーモードに対応することを示す第２のコピー制御情報と、を含む制御情報に対応付けられて受信したコンテンツについて、前記記録再生制御部が該コンテンツを再生して所定数のコピーを生成するまでは、該コンテンツのダビングが複数回可能であることを示す表示を行い、前記記録再生制御部が該コンテンツを再生して所定数のコピーを生成した後は、該コンテンツのダビングが一回のみ可能であることを示す表示を行い、
前記記録媒体に記録したコンテンツであって、一世代のみコピー可能であることを示すコピー制御情報と、前記個数制限コピーモードに対応しないことを示す第２のコピー制御情報と、を含む制御情報に対応付けられて受信したコンテンツについて、該コンテンツのダビングが一回のみ可能であることを示す表示を行い、
前記コンテンツに対応付けられて受信した前記制御情報が、前記第２のコピー制御情報を含まない場合、
前記記録媒体に記録したコンテンツであって、一世代のみコピー可能であることを示すコピー制御情報を含む制御情報に対応付けられて受信したコンテンツについて、前記記録再生制御部が該コンテンツを再生して所定数のコピーを生成するまでは、該コンテンツのダビングが複数回可能であることを示す表示を行い、前記記録再生制御部が該コンテンツを再生して所定数のコピーを生成した後は、該コンテンツのダビングが一回のみ可能であることを示す表示を行う
ことを特徴とする表示装置。
【請求項３６】
少なくとも、コンテンツと、前記コンテンツに対応付けられたコピー制御情報であって、前記コンテンツについてコピー可、一世代のみコピー可、コピー禁止のうち少なくとも一つの状態であることを示すコピー制御情報と、を含むデジタル情報を受信する表示装置であって、
前記デジタル情報を受信する受信部と、
受信した前記デジタル情報に含まれる前記コンテンツの記録媒体への記録再生を制御する記録再生制御部と、
前記記録媒体に記録した前記コンテンツのダビング可能個数についての情報であるダビング情報を表示する表示部と、
を備え、
前記表示部は、
前記デジタル情報が、前記コンテンツに対応付けられた第２のコピー制御情報であって、前記コンテンツについて所定数の複数個のコピーを許可するコピーモードに対応するか否かを示す第２のコピー制御情報を含むか否かと、該第２のコピー制御情報が示す情報と、前記コピー制御情報が示す情報と、に応じて、
前記記録媒体に記録したコンテンツであって、前記コピー制御情報に対応付けられて受信したコンテンツについて、該コンテンツのダビングが複数回可能であることを示すダビング情報と、該コンテンツのダビングが一回のみ可能であることを示すダビング情報と、を切り替えて表示する
ことを特徴とする表示装置。
【請求項３７】
少なくとも、コンテンツと、前記コンテンツに対応付けられたコピー制御情報であって、前記コンテンツについてコピー可、一世代のみコピー可、コピー禁止のうち少なくとも一つの状態であることを示すコピー制御情報と、を含むデジタル情報を受信する表示装置であって、
前記デジタル情報を受信する受信部と、
受信した前記デジタル情報に含まれる前記コンテンツの記録媒体への記録再生を制御する記録再生制御部と、
前記記録媒体に記録した前記コンテンツのダビング可能個数についての情報であるダビング情報を表示する表示部と、
を備え、
前記表示部は、
前記受信部が、前記コピー制御情報と、前記コンテンツに対応付けられた第２のコピー制御情報であって、前記コンテンツについて所定数の複数個のコピーを許可するコピーモードに対応するか否かを示す第２のコピー制御情報と、を含むデジタル情報を受信した場合、
前記記録媒体に記録したコンテンツであって、一世代のみコピー可能であることを示すコピー制御情報と、前記コピーモードに対応することを示す第２のコピー制御情報と、に対応付けられて受信したコンテンツについて、該コンテンツのダビングが複数回可能であることを示すダビング情報と、該コンテンツのダビングが一回のみ可能であることを示すダビング情報と、のうちいずれかのダビング情報を表示し、
前記記録媒体に記録したコンテンツであって、一世代のみコピー可能であることを示すコピー制御情報と、前記コピーモードに対応しないことを示す第２のコピー制御情報と、に対応付けられて受信したコンテンツについて、該コンテンツのダビングが一回のみ可能であることを示すダビング情報を表示し、
前記受信部が、前記コピー制御情報を含み、前記第２のコピー制御情報を含まないデジタル情報を受信した場合、
前記記録媒体に記録したコンテンツであって、一世代のみコピー可能であることを示すコピー制御情報に対応付けられて受信したコンテンツについて、該コンテンツのダビングが複数回可能であることを示すダビング情報と、該コンテンツのダビングが一回のみ可能であることを示すダビング情報と、のうちいずれかのダビング情報を表示する
ことを特徴とする表示装置。
【請求項３８】
前記表示部は、
ダビングが複数回可能であることを示すダビング情報と、ダビングが一回のみ可能であることを示すダビング情報と、のうちいずれかのダビング情報を表示する場合に、前記記録再生制御部が、前記記録媒体に記録される前記コンテンツを再生して生成したコピーの個数に応じて前記ダビング情報を切り替えて表示する
ことを特徴とする請求項３７に記載の表示装置。
【請求項３９】
前記表示部は、
ダビングが複数回可能であることを示すダビング情報と、ダビングが一回のみ可能であることを示すダビング情報と、のうちいずれかのダビング情報を表示する場合に、前記記録再生制御部が、前記記録媒体に記録される前記コンテンツを再生して所定数のコピーを生成するまでは、ダビングが複数回可能であることを示すダビング情報を表示し、前記記録再生制御部が、前記記録媒体に記録される前記コンテンツを再生して所定数のコピーを生成した後は、ダビングが一回のみ可能であることを示すダビング情報を表示する
ことを特徴とする請求項３７に記載の表示装置。
【請求項４０】
少なくとも、コンテンツと、前記コンテンツに対応付けられたコピー制御情報であって、前記コンテンツについてコピー可、一世代のみコピー可、コピー禁止のうち少なくとも一つの状態であることを示すコピー制御情報と、を含むデジタル情報を受信する表示装置であって、
前記デジタル情報を受信する受信部と、
受信した前記デジタル情報に含まれる前記コンテンツの記録媒体への記録再生を制御する記録再生制御部と、
前記記録媒体に記録した前記コンテンツのダビング可能個数についての情報であるダビング情報を表示する表示部と、
を備え、
前記表示部は、
前記受信部が、前記コピー制御情報と、前記コンテンツに対応付けられた第２のコピー制御情報であって、前記コンテンツについて所定数の複数個のコピーを許可する個数制限コピーモードに対応するか否かを示す第２のコピー制御情報と、を含むデジタル情報を受信した場合、
前記記録媒体に記録したコンテンツであって、一世代のみコピー可能であることを示すコピー制御情報と、前記個数制限コピーモードに対応することを示す第２のコピー制御情報と、に対応付けられて受信したコンテンツについて、前記記録再生制御部が前記記録媒体に記録される該コンテンツを再生して所定数のコピーを生成するまでは、該コンテンツのダビングが複数回可能であることを示すダビング情報を表示し、前記記録再生制御部が前記記録媒体に記録される該コンテンツを再生して所定数のコピーを生成した後は、該コンテンツのダビングが一回のみ可能であることを示すダビング情報を表示し、
前記記録媒体に記録したコンテンツであって、一世代のみコピー可能であることを示すコピー制御情報と、前記個数制限コピーモードに対応しないことを示す第２のコピー制御情報と、に対応付けられて受信したコンテンツについて、該コンテンツのダビングが一回のみ可能であることを示すダビング情報を表示し、
前記受信部が、前記コピー制御情報を含み、前記第２のコピー制御情報を含まないデジタル情報を受信した場合、
前記記録媒体に記録したコンテンツであって、一世代のみコピー可能であることを示すコピー制御情報に対応付けられて受信したコンテンツについて、前記記録再生制御部が前記記録媒体に記録される該コンテンツを再生して所定数のコピーを生成するまでは、該コンテンツのダビングが複数回可能であることを示すダビング情報を表示し、前記記録再生制御部が前記記録媒体に記録される該コンテンツを再生して所定数のコピーを生成した後は、該コンテンツのダビングが一回のみ可能であることを示すダビング情報を表示する
ことを特徴とする表示装置。
【手続補正２】
【補正対象書類名】明細書
【補正対象項目名】発明の名称
【補正方法】変更
【補正の内容】
【発明の名称】デジタル情報記録再生装置および表示装置
【手続補正３】
【補正対象書類名】明細書
【補正対象項目名】０００６
【補正方法】変更
【補正の内容】
【０００６】
上記の課題を解決するために、本発明の一実施の態様は、例えば特許請求の範囲に記載されるように構成すればよい。
【手続補正４】
【補正対象書類名】明細書
【補正対象項目名】０００７
【補正方法】削除
【補正の内容】